(57)【要約】  【課題】  コストを抑えつつ薄型化が可能な光ピックアップ装置を提供する。  【解決手段】  光ディスク１０の記録面１０ａに対して平行にレーザー光を出射する光源１と、この光源１から出射されて回折格子２を経た光を光ディスク１０の記録面１０ａへ向けて反射させるとともに、光ディスク１０の記録面１０ａからの戻り光を透過させるハーフミラー３と、このハーフミラー３と光ディスク１０の記録面１０ａとの間の光路に配設されたコリメートレンズ５及び対物レンズ６と、ハーフミラー３を透過した光ディスク１０の記録面１０ａからの戻り光を受光する光検出器９と、ハーフミラー３を透過した光ディスク１０の記録面１０ａからの戻り光を光ディスク１０の記録面１０ａと平行に反射させて光検出器９へ導く折返しミラー７を備えている。【選択図】      図１
2006216117.tif 000002
【特許請求の範囲】
【請求項１】
光ディスクの記録面に対して平行にレーザー光を出射する光源と、この光源から出射さ
れて回折格子を経た光を光ディスクの記録面へ向けて反射させるとともに、光ディスクの
記録面からの戻り光を透過させるハーフミラーと、このハーフミラーと光ディスクの記録
面との間の光路に配設されたコリメートレンズ及び対物レンズと、ハーフミラーを透過し
た光ディスクの記録面からの戻り光を受光する光検出器と、を備えた光ピックアップ装置
において、
ハーフミラーを透過した光ディスクの記録面からの戻り光を光ディスクの記録面と平行
に反射させて光検出器へ導く折返しミラーを備え、光検出器がハーフミラーを挟んで光源
とは反対側に配設されており、折返しミラーは、硬質樹脂を材質とする基板に誘電体多層
膜が反射面として積層されたものであることを特徴とする光ピックアップ装置。
【請求項２】
光ディスクの記録面に対して平行にレーザー光を出射する光源と、この光源から出射さ
れて回折格子を経た光を光ディスクの記録面へ向けて反射させるとともに、光ディスクの
記録面からの戻り光を透過させるハーフミラーと、このハーフミラーと光ディスクの記録
面との間の光路に配設されたコリメートレンズ及び対物レンズと、ハーフミラーを透過し
た光ディスクの記録面からの戻り光を受光する光検出器と、を備えた光ピックアップ装置
において、
ハーフミラーを透過した光ディスクの記録面からの戻り光を光ディスクの記録面と平行
に反射させて光検出器へ導く折返しミラーを備えたことを特徴とする光ピックアップ装置
。
【請求項３】
前記光検出器が前記ハーフミラーを挟んで前記光源とは反対側に配設されていることを
特徴とする請求項２に記載の光ピックアップ装置。
【請求項４】
前記折返しミラーは、硬質樹脂を材質とする基板に誘電体多層膜が反射面として積層さ
れたものであることを特徴とする請求項２又は３に記載の光ピックアップ装置。
【請求項５】
前記光源、前記回折格子、前記ハーフミラー、及び前記コリメートレンズが硬質樹脂を
材質とする基台上に取り付けられていて、前記折返しミラーは、基台と一体に成型された
鏡面部分に誘電体多層膜が積層されたものであることを特徴とする請求項２又は３に記載
の光ピックアップ装置。
【発明の詳細な説明】
【技術分野】
【０００１】
本発明は、情報記録媒体であるＣＤやＤＶＤ等の光ディスクに対して、情報の再生や記
録を行うための光ピックアップ装置に関する。
【背景技術】
【０００２】
図３に、従来一般の光ピックアップ装置における光学系の配置構成の一例を示す（例え
ば、特許文献１参照）。図３に示す光ピックアップ装置は直管型と呼ばれるものであって
、この光ピックアップ装置では、光源１０１としての半導体レーザーが、光ディスク１０
の記録面１０ａに対して平行にレーザー光を出射するように配設されている。光源１０１
からのレーザー光は、回折格子１０２を経て分光された後、ハーフミラー１０３によって
光ディスク１０の記録面１０ａへ向けて反射される。ハーフミラー１０３と光ディスク１
０の記録面１０ａとの間の光路には、コリメートレンズ１０５及び対物レンズ１０６が配
設されていて、ハーフミラー１０３で反射したレーザー光は、コリメートレンズ１０５に
よって平行光束にされた後、続く対物レンズ１０６によって光ディスク１０の記録面１０
ａ上に集光される。
【０００３】
そのレーザー光は、光ディスク１０の記録面１０ａで反射し、対物レンズ１０６及びコ
リメートレンズ１０５を順に経てハーフミラー１０３に戻る。ハーフミラー１０３に戻っ
た光は、ハーフミラー１０３を透過し、そのままフォトダイオード等の光検出器１０９に
導かれる。従って、このような直管型の光ピックアップ装置では、光検出器１０９は、対
物レンズ１０６、コリメートレンズ１０５及びハーフミラー１０３とほぼ一直線上に配設
されることになる。
【０００４】
また、図４及び図５に、従来一般の光ピックアップ装置における光学系の配置構成の別
例を示す（例えば、特許文献１、２参照）。ここで図５は図４のＡ矢視を示している。図
４及び図５に示す光ピックアップ装置は打上げ型と呼ばれるものであって、この光ピック
アップ装置では、光源２０１としての半導体レーザーが、光ディスク１０の記録面１０ａ
に対して平行にレーザー光を出射するように配設されている。光源２０１からのレーザー
光は、回折格子２０２を経て分光された後、ハーフミラー２０３によって一旦光ディスク
１０の記録面１０ａと平行に反射され、続く打上げミラー２０４によって光ディスク１０
の記録面１０ａへ向けて反射される。打上げミラー２０４と光ディスク１０の記録面１０
ａとの間の光路には、コリメートレンズ２０５及び対物レンズ２０６が配設されていて、
打上げミラー２０４で反射したレーザー光は、コリメートレンズ２０５によって平行光束
にされた後、続く対物レンズ２０６によって光ディスク１０の記録面１０ａ上に集光され
る。
【０００５】
そのレーザー光は、光ディスク１０の記録面１０ａで反射し、対物レンズ２０６及びコ
リメートレンズ２０５を順に経て打上げミラー２０４に戻る。打上げミラー２０４に戻っ
た光は、打上げミラー２０４で反射してハーフミラー２０３に戻った後、ハーフミラー２
０３を透過して、そのままフォトダイオード等の光検出器２０９に導かれる。従って、こ
のような打上げ型の光ピックアップ装置では、光検出器２０９は、光源２０１、コリメー
トレンズ２０２、ハーフミラー２０３及び打上げミラー２０４が配設された面、すなわち
光ディスク１０の記録面１０ａと平行な面と同一面上に配設されることになる。
【０００６】
そして、光検出器１０９、２０９では、光ディスク１０の記録面１０ａからの光を受光
して検出し、電気信号に変換する。こうして、光ディスク１０の記録面１０ａ上の記録情
報が再生信号として取得される。また、対物レンズ１０６、２０６に対してのトラッキン
グやフォーカシング補正用の信号も生成される。
【特許文献１】特開２００２−３７３４５０号公報
【特許文献２】特開２００１−１６０２３８号公報
【発明の開示】
【発明が解決しようとする課題】
【０００７】
しかし、図３に示す直管型の光ピックアップ装置では、光検出器１０９が、ハーフミラ
ー１０３を挟んで対物レンズ１０６及びコリメートレンズ１０５とほぼ一直線上に配設さ
れているため、光ディスク１０に対するピックアップ高さ（ここでは光検出器１０９から
光ディスク１０までの高さ）がある程度高くならざるを得ない。従って、近年強く求めら
れる光ピックアップ装置全体の薄型化が著しく制限されるという問題がある。
【０００８】
一方、図４及び図５に示す打上げ型の光ピックアップ装置では、ピックアップ高さが打
上げミラー２０４から光ディスク１０までの高さに低く抑えられるため、光ピックアップ
装置全体の薄型化を実現できる。その反面、打上げミラー２０４には面精度や位置精度の
確保が厳しく要求される。何故ならば、打上げミラー２０４の精度如何により、ハーフミ
ラー２０３を経た光源２０１からのレーザー光を光ディスク１０の記録面１０ａへ導く反
射光路と、光ディスク１０の記録面１０ａからの戻り光をハーフミラー２０３、最終的に
は光検出器２０９へ導く反射光路とが変動し、ひいては収差の程度に大きく影響するから
である。従って、実際には、面精度の高い高価な打上げミラー２０４が必要であるし、そ
の組付け後の位置調整に多大な時間を要するという問題がある。つまり、コストアップが
避けられない。
【０００９】
そこで本発明は、上記の問題に鑑みてなされたものであり、コストを抑えつつ薄型化が
可能な光ピックアップ装置を提供することを目的とするものである。
【課題を解決するための手段】
【００１０】
上記目的を達成するため、本発明による光ピックアップ装置は、光ディスクの記録面に
対して平行にレーザー光を出射する光源と、この光源から出射されて回折格子を経た光を
光ディスクの記録面へ向けて反射させるとともに、光ディスクの記録面からの戻り光を透
過させるハーフミラーと、このハーフミラーと光ディスクの記録面との間の光路に配設さ
れたコリメートレンズ及び対物レンズと、ハーフミラーを透過した光ディスクの記録面か
らの戻り光を受光する光検出器と、を備えた光ピックアップ装置において、ハーフミラー
を透過した光ディスクの記録面からの戻り光を光ディスクの記録面と平行に反射させて光
検出器へ導く折返しミラーを備え、光検出器がハーフミラーを挟んで光源とは反対側に配
設されており、折返しミラーは、硬質樹脂を材質とする基板に誘電体多層膜が反射面とし
て積層されたものである。
【００１１】
このような構成にすると、ハーフミラーを透過した光ディスクの記録面からの戻り光が
、その光路中で折返しミラーによって光ディスクの記録面と平行に反射されてそのまま光
検出器へ導かれるため、従来の直管型の光ピックアップ装置と比較して、光ディスクに対
するピックアップ高さが低く抑えられる。勿論従来の打上げ型の光ピックアップ装置ほど
のピックアップ高さの低減は期待できないが、その折返しミラーには、打上げ型での打上
げミラーほどの高い精度は要求されないことから、コストアップも最小限に抑えることが
可能である。しかも、光検出器がハーフミラーを挟んで光源とは反対側に配設されるため
、光検出器の配設スペースには十分である。また、折返しミラーとして、アクリル又はポ
リカーボネイトを材質とする基板に誘電体多層膜が反射面として積層されたものが採用さ
れるため、折返しミラーを安価に得ることができ、折返しミラーの配設に伴うコストアッ
プを実用的により抑えることが可能になる。
【００１２】
また、上記目的を達成するための本発明による光ピックアップ装置は、光ディスクの記
録面に対して平行にレーザー光を出射する光源と、この光源から出射されて回折格子を経
た光を光ディスクの記録面へ向けて反射させるとともに、光ディスクの記録面からの戻り
光を透過させるハーフミラーと、このハーフミラーと光ディスクの記録面との間の光路に
配設されたコリメートレンズ及び対物レンズと、ハーフミラーを透過した光ディスクの記
録面からの戻り光を受光する光検出器と、を備えた光ピックアップ装置において、ハーフ
ミラーを透過した光ディスクの記録面からの戻り光を光ディスクの記録面と平行に反射さ
せて光検出器へ導く折返しミラーを備えている。
【００１３】
このような構成にすると、ハーフミラーを透過した光ディスクの記録面からの戻り光が
、その光路中で折返しミラーによって光ディスクの記録面と平行に反射されてそのまま光
検出器へ導かれるため、従来の直管型の光ピックアップ装置と比較して、光ディスクに対
するピックアップ高さが低く抑えられる。勿論従来の打上げ型の光ピックアップ装置ほど
のピックアップ高さの低減は期待できないが、その折返しミラーには、打上げ型での打上
げミラーほどの高い精度は要求されないことから、コストアップも最小限に抑えることが
可能である。
【００１４】
ここで、光検出器の十分な配設スペースに配慮すれば、前記光検出器が前記ハーフミラ
ーを挟んで前記光源とは反対側に配設されていることが好ましい。
【００１５】
また、折返しミラーの配設に伴うコストアップをより抑える観点から、前記折返しミラ
ーは、硬質樹脂を材質とする基板に誘電体多層膜が反射面として積層されたものであると
よい。ここでは、実用性を踏まえると、前記基板の材質がアクリル又はポリカーボネイト
であることが好ましい。
【００１６】
また同様に、折返しミラーの配設に伴うコストアップをより抑える観点から、前記光源
、前記回折格子、前記ハーフミラー、及び前記コリメートレンズが硬質樹脂を材質とする
基台上に取り付けられていて、前記折返しミラーは、基台と一体に成型された鏡面部分に
誘電体多層膜が積層されたものであってもよい。ここでは、実用性を踏まえると、前記基
台の材質がポリフェニレンサルファイドであることが好ましい。
【発明の効果】
【００１７】
本発明の光ピックアップ装置によれば、安価な折返しミラーによって光ディスクに対す
るピックアップ高さが低く抑えられ、光ピックアップ装置全体の薄型化を実現できる。
【発明を実施するための最良の形態】
【００１８】
以下に、本発明の実施形態について図面を参照しながら詳述する。先ず、本発明の第１
実施形態である光ピックアップ装置について説明する。図１に、第１実施形態の光ピック
アップ装置における光学系の配置構成を示す。
【００１９】
図１に示すように、本実施形態の光ピックアップ装置では、光源１としての半導体レー
ザーが、光ディスク１０の記録面１０ａに対して平行にレーザー光を出射するように配設
されている。光源１からのレーザー光は、回折格子２を経て分光された後、ハーフミラー
３によって光ディスク１０の記録面１０ａへ向けて反射される。ハーフミラー３と光ディ
スク１０の記録面１０ａとの間の光路には、コリメートレンズ５及び対物レンズ６が配設
されていて、ハーフミラー３で反射したレーザー光は、コリメートレンズ５によって平行
光束にされた後、続く対物レンズ６によって光ディスク１０の記録面１０ａ上に集光され
る。
【００２０】
そのレーザー光は、光ディスク１０の記録面１０ａで反射し、対物レンズ６及びコリメ
ートレンズ５を順に経てハーフミラー３に戻る。ハーフミラー３に戻った光は、ハーフミ
ラー３を透過した後、続く折返しミラー７によって光ディスク１０の記録面１０ａと平行
に反射され、そのままフォトダイオード等の光検出器９に導かれる。ここで本実施形態で
は、光検出器９は、ハーフミラー７を挟んで光源１とは反対側に配設されることになる。
そのため、光検出器９の配設スペースには十分である。
【００２１】
そして、光検出器９では、光ディスク１０の記録面１０ａからの光を受光して検出し、
電気信号に変換する。こうして、光ディスク１０の記録面１０ａ上の記録情報が再生信号
として取得される。また、対物レンズ６に対してのトラッキングやフォーカシング補正用
の信号も生成される。
【００２２】
このような構成にすれば、ハーフミラー３を透過した光ディスク１０の記録面１０ａか
らの戻り光が、その光路中で折返しミラー７によって光ディスク１０の記録面１０ａと平
行に反射されてそのまま光検出器９へ導かれるため、従来の直管型の光ピックアップ装置
（図３参照）と比較して、光ディスク１０に対するピックアップ高さが折返しミラー７か
ら光ディスク１０までの高さに低く抑えられる。従って、光ピックアップ装置全体の薄型
化を実現できる。勿論従来の打上げ型の光ピックアップ装置（図４参照）ほどのピックア
ップ高さの低減は期待できないが、その折返しミラー７には、打上げ型での打上げミラー
２０４ほどの高い精度は要求されないことから、コストアップも最小限に抑えることが可
能である。
【００２３】
例えば、折返しミラー７としては、硬質樹脂を材質とする板状の基板の一面に誘電体多
層膜を積層し、この誘電体多層膜層を反射面として利用するものが適用される。その基板
の材質としては、実用性を踏まえると、アクリル又はポリカーボネイトが好適である。こ
れにより、折返しミラー７を安価に得ることができ、折返しミラー７の配設に伴うコスト
アップを実用的により抑えることが可能になる。但し、その基板の材質にガラスを適用し
ても構わない。
【００２４】
次に、本発明の第２実施形態について、図２を参照しながら説明する。図２に、第２実
施形態の光ピックアップ装置における光学系の配置構成を示す。なお、図中で図１と同じ
名称で同じ機能を果たす部分には同一の符号を付し、重複する説明は省略する。
【００２５】
本第２実施形態の特徴は、第１実施形態における折返しミラー７構造を変形した点にあ
る。第１実施形態では、実際には、折返しミラー７が、光源１、回折格子２、ハーフミラ
ー３及びコリメートレンズ５と共に、硬質樹脂を材質とする基台８上に取り付けられるこ
とになる。一方、本実施形態では、図２に示すように、基台８と一体に成型された鏡面部
分８ａに誘電体多層膜が積層され、この鏡面部分８ａが折返しミラー７として機能するよ
うになっている。従って、折返しミラー７を別部品として準備する必要がなくなり、折返
しミラー７の配設に伴うコストアップを実用的により抑えることが可能になる。基台８の
材質としては、エンジニアリングプラスチック、例えばポリフェニレンサルファイド（Ｐ
ＰＳ）が好適である。
【００２６】
ちなみに、基台８に鏡面部分８ａを一体に形成するにあたっては、成型用の金型の当該
部分を鏡面仕上げしておくことで足りる。
【００２７】
その他本発明は上記の各実施形態に限定されず、本発明の趣旨を逸脱しない範囲で、種
々の変更が可能である。例えば、折返しミラー７の反射面を適宜凹曲面や凸曲面にするこ
とで収差をより抑えることが可能になる。
【産業上の利用可能性】
【００２８】
本発明は、光ディスクに対して情報の再生や記録を行うための光ピックアップ装置に有
用である。
【図面の簡単な説明】
【００２９】
【図１】本発明の第１実施形態の光ピックアップ装置における光学系の配置構成を示す図である。
【図２】本発明の第２実施形態の光ピックアップ装置における光学系の配置構成を示す図である。
【図３】従来一般の光ピックアップ装置における光学系の配置構成の一例を示す図である。
【図４】従来一般の光ピックアップ装置における光学系の配置構成の別例を示す図である。
【図５】図４のＡ矢視図である。
【符号の説明】
【００３０】
１    光源
２    回折格子
３    ハーフミラー
５    コリメートレンズ
６    対物レンズ
７    折返しミラー
８    基台
８ａ    鏡面部分
９    光検出器
１０    光ディスク
１０ａ    記録面
【図１】
2006216117.tif 000003
【図２】
2006216117.tif 000004
【図３】
2006216117.tif 000005
【図４】
2006216117.tif 000006
【図５】
2006216117.tif 000007